(57)【要約】      （修正有）【課題】ナースコール親機にナースコール用幹線ケーブルを介してマルチドロップ接続される複数の制御器が接続されるナースコール装置において、不良制御器を迅速に発見特定し、または幹線ケーブルから切り離すこと【解決手段】ナースコール親機１にナースコール用幹線ケーブル９を介してマルチドロップ接続される複数の制御器５にそれぞれ出力断回路１３を設け、ナースコール親機１から出力される送信信号で、前記出力断回路１３を作動させ、制御器５の送信回路１２をナースコール用幹線ケーブル９から切り離す。【選択図】図１
2006074142.tif 000002
【特許請求の範囲】
【請求項１】
データを送信する送信回路、データを受信する受信回路、および両回路を制御する制御回路を有するナースコール親機と、
出力断回路に接続された送信回路、受信回路、出力断回路を開閉制御する切替制御回路、ナースコール子機に接続される入出力回路、及び全体を制御する制御部を有する複数の制御器とを備え、
前記ナースコール親機の送信回路は、前記制御器の受信回路にマルチドロップ接続するとともに、前記ナースコール親機の受信回路は、前記制御器の出力断回路にマルチドロップ接続し、
前記ナースコール親機の受信回路において、異常信号を受信したら、前記ナースコール親機の送信回路から全制御器を指定して、出力断信号を送信し、前記制御器は、受信回路で受信した前記出力断信号に対応して、前記制御部、前記切替制御回路を介して、前記出力断回路を作動させるようにしたことを特徴とするナースコール装置。
【請求項２】
前記ナースコール親機は、前記出力断信号の一斉送信後、全前記制御器の出力断回路が開く時間の経過を待って、各制御器に向けて再接続信号を順次送信するとともに、前記再接続信号に対して、個別の制御器から返信される返信信号の有無を判定して、返信のなかった制御器の回線番号を異常制御器回線番号として表示できるようにしたことを特徴とする請求項１記載のナースコール装置。
【発明の詳細な説明】
【技術分野】
【０００１】
本発明は、ナースコール装置に係り、特に、ナースコール親機に複数の制御器（病室の出入口などに設置され、一般には個人別廊下灯や集合廊下灯と称される）をマルチドロップ接続して使用するナースコール装置に関する。
【背景技術】
【０００２】
従来、省線式と称されるナースコール装置では、ナースコール親機から出る幹線ケーブルを各病室経由で最遠端の病室まで延長し、各病室の出入口において、個人別廊下灯などの制御器を接続することにより、システム全体が動作するようになっている。このような接続方式は一般にマルチドロップ接続あるいはバス接続と称される。
【０００３】
このようなマルチドロップ接続のナースコール装置では、一般に、１台の制御器でトラブルが発生すると、同じ幹線ケーブルに接続された他の正常な制御器も動作しなくなることが多い。
【０００４】
特許文献１には、本発明の制御器に相当するスレーブ側装置の送信信号を監視する監視回路を設け、この監視回路で出力信号の異常の有無を判定し、異常があれば、送信回路上に設けた出力断回路を作動させるようにしたものが記載されている。
【特許文献１】・・・・特開平８−１９５７６０号公報
【発明の開示】
【発明が解決しようとする課題】
【０００５】
特許文献１記載の発明によれば、監視回路で送信信号の異常を検知することにより、送信回路を遮断することができるが、監視回路は、スレーブ装置の全てに必要であり、異常の有無の判定は、全てのスレーブ装置において個別に行なう必要がある。
【０００６】
本発明は、特許文献１記載の各スレーブ装置毎に設けられる監視回路を不要にすることを課題とする。
【課題を解決するための手段】
【０００７】
本発明においては、ナースコール親機の受信回路で幹線の信号を監視し、受信信号に異常が認められれば、送信回路から全制御器を指定して、出力断信号を送信する。前記制御器は、出力断信号を受信すると、制御部の働きで、出力断回路を断状態にする。
【０００８】
また、本発明においては、前記ナースコール親機は、まず、前記出力断信号の一斉送信後、全前記制御器の出力断回路が開く時間をおく。
【０００９】
次に、各制御器に向けて再接続信号を順次送信する。各制御器は、前記再接続信号に対応して、出力断回路を接続状態にする。接続状態になったら、接続完了信号を含む返信信号をナースコール親機に送信する。
【００１０】
制御器は、内部の受信回路や送信回路あるいは制御部に異常があると、この返信信号を親機に対して送信することができない。
【００１１】
ナースコール親機では、個別の制御器から送信される所定の返信信号を受信すると、当該制御器を正常品として処理する。
【００１２】
反対に、返信しない制御器があった場合には、その回線番号を異常制御器回線番号として記憶し表示する。
【発明の効果】
【００１３】
本発明によれば、ナースコール親機の受信回路において、異常信号を受信すると、折り返し、ナースコール親機から全制御器の出力断信号を送信するので、全制御器をナースコール幹線から一斉に切り離すことができる。
【００１４】
また、本発明によれば、再接続テストモードで、不良の制御器のみをナースコール幹線から切り離すことができ、さらに、不良制御器の回線番号を表示できるので、迅速な保守作業が可能である。
【発明を実施するための最良の形態】
【００１５】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【実施例１】
【００１６】
図１は、本発明の１実施例を示すナースコール装置のブロック構成図である。
図１において、１はナースコール親機、２はＣＰＵ、記憶部などを含む制御部、３は送信回路、４は受信回路であり、前記制御部２で送信回路３および受信回路４は制御される。          
【００１７】
５は制御器であり、６は、制御器の全体動作をコンピュータ制御する制御部６である。７は入出力回路であり、ナースコール子機に接続される。
８は受信回路であり、ナースコール用幹線ケーブル９の第１通信線１０を介して、ナースコール親機１の送信回路３にマルチドロップ接続される。
１２は制御部６に接続された送信回路であり、出力断回路１３、ナースコール用幹線ケーブル９の第２通信線１１を介して、ナースコール親機１の受信回路にマルチドロップ接続される。
１４は、切替制御回路であり、制御部から出力される信号で動作し、出力断回路１３を開閉させる。
【００１８】
図２は、異常信号処理フロー図である。
ナースコール親機１の受信回路で異常信号を受信すると、制御部２から送信回路３に対して、全制御器５の出力断回路１３をオープンさせる信号が供給される。この信号を受けて、制御器５の出力断回路１３は断状態に移行する。
【００１９】
次いで、ナースコール親機１は、切り離された制御器５を再接続して動作を確認する再接続テストモードに進む。
この再接続テストモードの最初のステップで、まず、制御器の回線番号の初期値が設定される。
【００２０】
次いで、設定された回線番号の制御器５に対し、出力断回路１３を導通状態にするための閉信号を送信する。閉信号を受信した制御器５は、制御部６の制御で出力断回路１３を導通状態に遷移させる。
【００２１】
次いで、ナースコール親機１から制御器５の受信、送信状態をチェックするためにテスト信号を送信する。
【００２２】
テスト信号を受信した制御器５は、折り返し、ナースコール親機１に対し、返信信号を送信する。
【００２３】
ナースコール親機１は、このステップで制御器５からの返信信号を受信できないときは、当該制御器５の回線番号を記憶すると共に、ナースコール親機１の表示部に異常回線番号を表示し、あわせて、当該制御器５に対し開信号を送信し、制御器５の出力断回路をオープンにする。
【００２４】
一方、制御器５から正常に返信信号を取得したときは、制御器５の回線番号の設定値をインクリメントし、次の回線番号の制御器５についてテストルーチンを反復する。
【実施例２】
【００２５】
図３の実施例では、制御器５の受信回路８から開閉信号抽出１５において開閉信号または開閉コマンドを直接抽出し、出力制御回路１４を制御できるようにしたもので、制御部６によるコマンド処理を必要としない。
【図面の簡単な説明】
【００２６】
【図１】本発明の１実施例を示すナースコール装置の回路ブロック図。（実施例１）
【図２】本発明の１実施例を示すナースコール装置の異常信号処理フロー図。
【図３】本発明の１実施例を示すナースコール装置の回路ブロック図。（実施例２）
【符号の説明】
【００２７】
１    ナースコール親機
２    制御部
３    送信回路
４    受信回路
５    制御器
６    制御部
８    受信回路
９    ナースコール用幹線ケーブル
１０    第１通信線
１１    第２通信線
１２    送信回路
１３    出力断回路
１４    切替制御回路
１５    開閉信号抽出
【図１】
2006074142.tif 000003
【図２】
2006074142.tif 000004
【図３】
2006074142.tif 000005